Podtech/llm-jp-corpus-v4-ja_patent huggingface dataset:
(57)【要約】      （修正有）【課題】車椅子のまま搭乗できる、特殊自動車によるタクシー事業の開業を提供する。【解決手段】協会本部が開業希望者の必要とする、各種申請書類等の指導、助言を実施する。すべてパソコン上によるメール機能にて実施するため全国各地其々の各開業予定地にて、可能となる。開業希望から実際の開業まで又開業後の経営指導、分析まですべて移動することなくパソコンのメールにて実施可能となる。【選択図】    図１
2004348694.tif 000002
【特許請求の範囲】
【請求項１】
パソコンのメール機能を利用した自宅にいながら、申請から開業まで、及び開業後の利用者情報等まで指示、指導できるビジネスモデル。
【発明の詳細な説明】
【０００１】
【発明の属する技術分野】
このビジネスモデルは、車椅子のまま乗車できる特殊自動車によるタクシー事業を開業するビジネスに関するものである。
【０００２】
【従来の技術】
従来は、このようなビジネスモデルはまったく無かった。
【０００３】
【発明が解決しようとする課題】
車椅子のまま乗車できるタクシー事業を個人でも開業できるよう、また開業から営業までのノウハウを一般の開業希望者に周知せしめた。
【０００４】
【課題を解決するための手段】
事業希望者が当社ホームページ等により、内容をよく理解したうえで、当協会への業務委託契約の申し込みを受けて後、行政書士による「代理権限」で、許認可書類の申請代行業務を実施し、又事業希望者は当協会からの指示により開業前の営業活動と、２種免許取得のための活動を実施する。又開業後もユーザーからの要請に素早く伝達、対応する。
【０００５】
【発明の実施の形態】
以下、本ビジネスモデルの実施の形態について説明する。
当社本部のインターネットホームページにより事業の説明を受けて貰います。
詳細についてはメールにて都度回答いたします。
事業希望者についてそれぞれの開業予定地区管轄の陸運局に、書類申請、事業者試験等がありますが、行政書士により指導いたします。
普通二種免許は必要ですが、介護ヘルパー資格は不要で、事業者が運転者で無くても可能です。開業に必要な書類、費用等も本部より指導しますから、指示通りに確実に実行していただければ、無事開業できることとなります。
【０００６】
【発明の効果】
車椅子のまま乗車できる特殊自動車によるタクシー事業を全国どこに居住していてもパソコンがあれば開業できる。
【図面の簡単な説明】
【図１】本ビジネスモデルの概略図である。
【符号の説明】
１．事業希望者
２．協会本部
３．各所管庁等
４．指導、助言
５．相談、要請
６．許認可、申請代行
７．通知、連絡、指導
８．通知、連絡、指導
９．連絡、申請等
【図１】
2004348694.tif 000003
(57)【要約】【課題】本発明は、十分な数の文字入力用キーを配置することができない小型携帯端末上でも、１回の単純な動作で１文字の入力を可能にする文字入力装置及びその入力方法に関するものである。【解決手段】入力キー表面での指先の滑り方向を検出する。【選択図】    図１
2004348695.tif 000002
【特許請求の範囲】
【請求項１】
文字入力用の各キー表面が、物が触れていることと、その座標を検出することができるタッチセンサ機能を有する小型携帯端末用の文字入力装置。
【請求項２】
１個の文字入力キーに複数の文字が割り当てられていても、１回の単純な動作で任意の文字を確定できる入力方法。
【発明の詳細な説明】
【０００１】
【発明の属する技術分野】
本発明は、十分な数の文字入力用キーを配置することができない小型携帯端末上でも、１回の単純な動作で１文字の入力を可能にする文字入力装置及びその入力方法に関するものである。
【０００２】
【従来の技術】
小型携帯端末は、そのスペース的な制約のため、文字入力に十分な数のキーを配置することができない。そのため従来は、同じキーを押すごとに「あ→い→う→え→お→ぁ→ぃ→ぅ→ぇ→ぉ」のように変化させて確定させる方式が一般的であった。
【０００３】
【発明が解決しようとする課題】
したがって目的の文字によって１回から１０回のキー押し下げ動作を行う必要があり、文字入力時間や入力者の疲労を増大させる要因となっていた。
【０００４】
【課題を解決するための手段】
本発明は、入力キー表面での指先の滑り方向を検出することにより、上記の課題を解決したものである。
【０００５】
【発明の実施の形態】
本発明の文字入力装置本体１は、文字グループ３が割り当てられた、タッチセンサ機能を有する入力キー領域２を、必要な数だけ配置して構成する。
【０００６】
タッチセンサは、入力キー領域ごとに独立していても良いし、１枚のタッチセンサを複数の入力キー領域で分割して利用しても良い。
【０００７】
各入力キー領域内またはその周囲に、その領域に割り当てられた文字グループに含まれる文字の一覧を、その文字を確定するために設定した角度と同じ方位に表示する。またその角度を示す方向指示線４を表示すると、入力者にとって文字を確定する方向が、視覚的に一層わかりやすくなる。
【０００８】
次に具体的な入力方法を示す。
入力者は目的の文字が含まれている入力キー領域内で、下記のいずれかの動作を行う。
（イ）キーの表面で、目的の文字を指し示す方向指示線と平行な方向に、指を直線的に滑らせる。
（ロ）キーの表面を、目的の文字を指し示す方向指示線と平行な方向に軽くこするように叩く。
端末側は最初に指が触れた点から、離された点までの距離と角度を計算し、その距離が一定以上であれば、その角度に一番近い角度が設定されている文字をディスプレイに表示する。
【０００９】
【発明の効果】
小型携帯端末上でも、１回の単純な動作で１文字の入力ができるようになるため、長文も素早く入力することができ、またその際の疲労も軽減される。
【図面の簡単な説明】
【図１】本発明の正面図である。
【符号の説明】
１  文字入力装置本体
２  入力キー領域
３  文字グループ
４  方向指示線
【図１】
2004348695.tif 000003
(57)【要約】      （修正有）【課題】多数のカードを持参しなくとも、店舗等のサービスが受けられるようにする。【解決手段】すでに発行された既存の他社のカード（クレジットカードが最適）を用い、そのカード番号をキーとした顧客ファイルに同時に自社の顧客管理番号を付番の上登録し、カード番号によるシステムへのアクセス以後はその顧客管理番号をキーとした通常の顧客管理システムを活用する情報システムを構築する。このことにより、顧客が日常、頻繁に使用するカードが顧客管理用カードに流用され、顧客は多数のカードを持ち歩く必要がなくなると同時に、店舗等もカード発行のための初期投資や手間が軽減される。これらのことにより店舗等のカードによる顧客管理が促進され、チェーン展開業種やゴルフ場など特定業種における顧客の利用履歴データの統合がしやすくなるため、真の顧客ニーズが把握可能になり、顧客へのサービス増進や販売促進策立案に寄与することが出来る。【選択図】  図１
2004348690.tif 000002
【特許請求の範囲】
【請求項１】
すでに発行されている他社の各種カード（銀行カード・クレジットカード等）に磁気あるいはバーコードによって記録されているカード番号を用いて、自社の顧客管理をおこなう情報システム。
【請求項２】
他社の各種カード上に、当該カードを自社の顧客管理用に使用している証として自社のシールを貼り、自社発行のカードとして顧客に流用してもらい顧客管理をおこなう情報システム。
【請求項３】
コンピュータ内に他社の各種カードの番号と自社が付与する顧客管理番号を対に管理するデータベースを構築し、他社の各種カードを用いながらも、顧客管理などの自社業務は自社が付与する顧客管理番号を用いておこなう情報システム。
【請求項４】
チェーン展開業種、特定の業種（ゴルフ場など）が既存の他社のカードを用い、その顧客管理を統合的に行い、顧客の利用履歴などのデータをひとつのデータベースで管理し、ポイント付与などの顧客へのサービスを統合的におこなう情報システム。
【発明の詳細な説明】
【０００１】
【発明が解決しようとする課題】
１．  コンピュータの利用が進んだ昨今、顧客管理をコンピュータで行うことが一般的になってきた。そして顧客を単一に捉えるために顧客管理番号が必要となり、顧客がその番号を常に正確に保持するためにカードが考案され、いまや顧客管理にはカード発行が定番となってきた。そのため、どんな小さな店舗等でもカードを発行するようになり、顧客は膨大な数のカードを保持しなくてはならないという問題点があった。
２．  また、店舗等はカードによる顧客管理により、ポイントなどを付与し顧客サービスをおこなうため、顧客がそのサービスを受けるためには多数のカードを持ち歩かなくてはならないという問題点があった。
３．  以上の理由から、顧客管理をしようとする店舗等は、カード発行機やカードのデザイン料などカードを発行するための初期投資やカード発行の手間をかけなくては、カードとコンピュータを使用した顧客管理を実施できないという問題点があった。
４．  売り上げが落ちているゴルフ場など、ゴルフ場間の客の取り合いに奔走し、独自の顧客管理はもとより、他のゴルフ場との顧客データの共有という発想はなく、真のゴルフファンの利用履歴データ（顧客ニーズ）を把握できないという問題点があった。
【０００２】
【課題を解決するための手段】
１．  すでに発行されている他社のカード（クレジットカードが最適）を用い、そのカードを自社あるいは自業種の顧客管理用のカードとして流用する。
２．  顧客登録時には、顧客にとってもっとも利用回数が多く、常に携帯しているカードを顧客に提出してもらい、そのカード番号でコンピュータ（顧客ファイル）に登録するとともに、併せて自社の顧客管理番号を付番し登録する。このことにより、他社のカードを用い、自社の顧客管理番号で自社の顧客管理業務をおこなうことができる。
３．  顧客の便宜を考慮し、そのカードが自社あるいは自業種の顧客管理に使用されていることを示すため、自社あるいは自業種のシールなどをそのカード上に貼付する。
４．  当情報システムの業務の流れはカードリーダーにより、他社のカード番号を読み取り、顧客ファイルにアクセスする。そこに登録されている自社の顧客管理番号により、自社の顧客管理システムにアクセスする。
５．  なお他社のカードに記録されている情報のうち、カード番号以外の情報はセキュリティーの観点から用いない。
【０００３】
【発明の効果】
１．  顧客は膨大な数のカードを保有する必要がなくなると同時に、店舗等のサービスを受けるために多数のカードを持ち歩く必要がなくなる。
２．  店舗等がカードを用いた顧客管理を導入しやすくなり、店舗のサービス向上や顧客のニーズ把握に寄与する。
３．  顧客の利用履歴データの統合は特定業種あるいはチェーン展開業種がその販売促進のためにもっとも必要としているデータである。そのデータの収集や統合には、店舗等における統一的な同様の情報システムの導入増加が不可欠である。そのためには、そのインフラに対する初期投資が比較的少なく、顧客の便宜を考慮したものでなくてはならず、当モデルはそのニーズに合致しているので、利用履歴等のデータの統合がしやすくなる。
【図面の簡単な説明】
【図１】当情報システムの処理概要図である。
【図１】
2004348690.tif 000003
(57)【要約】【課題】従来の表示装置は文字の輝度が弱く外光のによる映り込みで屋外では使用に適さなかったそこで表示面の文字や図形の輝度を上げ外光による表示面の反射を押さえる。【解決手段】表示面の文字や図形の輝度を上げるため図の様に表示面（１）の裏側に適当な角度で拡散反射板（２）を取り付け直進性の強いＬＥＤ（３）の光線を表示面（１）に向けて拡散反射させる。表示文字や図形の必要輝度で図２、図３の様にＬＥＤの数及び拡散反射板の形状を変える。又、外光の反射を遮るため表示面に映り込みを防ぐ光学アクリルフィルターを使う。【選択図】    図１
2004348071.tif 000002
【特許請求の範囲】
【請求項１】
表示面の裏側に拡散反射板を適当な角度でを取り付けＬＥＤを照射し表示面の文字や図形を鮮明に浮き上がらせることを特徴とする表示装置。
【発明の詳細な説明】
【０００１】
【発明が属する技術分野】
本発明は、文字や図形を鮮明に浮き上がらせる表示装置に関するものである。
【０００２】
【従来の技術】
従来の表示装置は輝度が弱く外光が当たると殆ど表示面の文字が読めなかった。
【０００３】
従来実用新案平成９−００６５７０の様に透明アクリル板の横からＬＥＤを照射し表示面の文字や図形を浮き上がらせる方法はあるが文字の輝度に限界があり外光が当たる屋外では使用に適さなかった。
【０００４】
ＬＥＤを文字の形に並べる方法もあるが文字の大きさ線の幅に制限があるので実用に向かなかった。
【０００５】
【発明が解決使用とする課題】
解決しようとする問題点は、表示面の文字や図形の輝度を上げ外光による表示面の反射を押さえる。
【０００６】
【課題を解決するための手段】
表示面の文字や図形の輝度を上げるため図１の様に表示面（１）の裏側に拡散反射板（２）を取り付け直進性の強いＬＥＤ（３）の光線を拡散反射させる。又、外光の反射を遮るため表示面に映り込みを防ぐ光学アクリルフィルターを使う。
【０００７】
【発明の実施の形態】
表示面の文字や図形の必要輝度や位置大きさにより図２、図３、図４の様にＬＥＤの数、反射板の角度及び形状を調整する。
【０００８】
【実施例１】図２は上下よりＬＥＤを照射した図で表示面の高さ１０ｃｍで拡散反射板の角度は約１５゜である。図４は約７゜であるこの様に拡散反射板の角度は表示面の文字や図形の面積で変化させる。
【０００９】
【実施例２】図２、図３は上下と左右を図４は上下を変えても同様な効果がある。
【００１０】
【発明の効果】
本発明により外光の強い場所でも有効な表示装置の設置が可能になり特に消防設備である屋外用防滴表示灯に有効である。
【図面の簡単な説明】
【図１】本発明の斜視図である。
【図２】本発明図１の断面１の実施例の断面図である。
【図３】本発明図１の断面１の実施例の断面図である。
【図４】本発明図１の断面１の実施例の断面図である。
【図５】本発明図１の断面２の図２の断面図である。。
【図６】本発明図１の断面２の図４の断面図である。。
【符号の説明】
１  表示面
２  反射板
３  ＬＥＤ
４  筐体
５  表示面枠
６  反射板の折線
【図１】
2004348071.tif 000003
【図２】
2004348071.tif 000004
【図３】
2004348071.tif 000005
【図４】
2004348071.tif 000006
【図５】
2004348071.tif 000007
【図６】
2004348071.tif 000008
(57)【要約】【課題】インターネット広告をインターネットユーザーに安易な操作だけで閲覧できて、インターネットユーザーや広告主が利用しやすい広告のサイトを提供する．【解決手段】ウェブサーバーに開設した広告専用のホームページに、プラウザで表示できるＨＴＭＬ言語で記述されたデータを蓄積しておいて、インターネットユーザーにアクセスしてもらい．インターネットユーザーに送信されたデータの中に音声情報が添付されているのでプラウザは、音声再生ソフトで音声をだし、同時にプラウザはホームページのソースに記述されているデータにより一定時間後に次のページにジャンプする．ユザーのパソコンでは，プラウザが１画面しか立ち上がらず、無操作で、次々と広告画面が表示され、音声で宣伝が聞こえてくる、テレビコマーシャルのような感覚でインターネット広告を見れるようにする．【選択図】  図１
2004348100.tif 000002
【特許請求の範囲】
【請求項１】
（イ）ホームページに宣伝文を音声ファイルで貼り付ける．
（ロ）最初のホームページから、ＮＯ．２のホームページに自動でジャンプ．する
（ハ）ＮＯ．２のホームページから、ＮＯ．３のホームページに自動でジャンプする
以上の如く構成されたホームページのサイトを利用した、インターネット広告
【請求項２】
ホームページに録音した音声広告を添付して、インターネットユーザーの注意を引きつけ其のホームページが自動でジャンプを繰り返す、インターネット広告の方法
【請求項３】
上記サイトから、広告主の希望するサイトにリンクできるホームページを含む、インターネット広告
【発明の詳細な説明】
【０００１】
【発明に属する技術分野】
この発明は、インターネットプラウザを利用して、ホームページの来訪者にインパクトのある宣伝広告をする方法である．
【０００２】
【従来の技術】
従来のインターネットの広告は、バナー広告をホームページに載せていた．
（例えば、特許文献１参照）．また、音声を配信している広告もある．（例えば、特許文献２参照）．また、マウス操作で次のページに変わる技術．（例えば、特許文献３参照）などがある．参考文献により従来のインターネット広告を説明すると、広告は、ホームページの一部に掲載されているバナー広告が主であり、音声は、ホームページの画面の一部にあるボタンをマウス操作して音声をダウンロードするもので、ホームページのページの変更もマウス操作が必要であったため、広告の閲覧者は、パソコンの操作をして、多数の音声がでるインターネット広告を閲覧していた．
【特許文献１】特開２００２−３１２６６５号（図２）
【特許文献２】特開２００２−３６６８５３号
【特許文献３】特開２００３−０６７３０１号
【０００３】
【発明が解決しようとする課題】
インターネット広告を、来訪者が安易な操作で閲覧できる専用の広告のサイトを作り、インターネットユーザーの関心を引くようにする．
【０００４】
【課題を解決するための手段】
その構成を説明すると、
（イ）最初のホームページの画面に商品などの情報と、内容の説明を録音した音声ファイルを画面のソースとして記述する
（ロ）最初のホームページのＨＴＭＬソースに記述したデーターで、一定時間後ＮＯ，２のホームページにジャンプする．
（ハ）ＮＯ，２のホームページにも、そのホームページの商品、及び内容の説明の音声ファイルを添付する．
（ニ）（ハ）に記述したホームページにも（ロ）と同じ記述をする
（ホ）上記のように、次々とジャンプするように設定したホームページをサーバに蓄積したサイトを作る
【０００５】
【発明の実施の形態】
実施の形態を述べると現在の新聞広告、及び折込チラシのように、広告主を募集して広告だけを配信するホームページを開設して、インターネットを利用してパソコンのウェブプラウザで閲覧できて、音声で案内が聞けて、ホームページが重複して多数立ちあがないサイトである
【０００６】
【発明の効果】
現在、ブロードバンド、常時接続契約の普及により安価な通信の方法であるインターネットを活用して、インパクトのある広告を提供できる
【図面の簡単な説明】
【図１】本発明のインターネットを利用したホームページ広告を表すブロック図
【符号の説明】
１０１はウェブサーバーで広告のホームページが開設されている
１０２はインターネット網
１０３はインターネットユーザー
１０４は広告主の指定するホームページの開設されているウェブサーバー
【図１】
2004348100.tif 000003
(57)【要約】【課題】小片を幾何学模様にみせる万華鏡を、小片の代わりに現実の風景や万物を取り込み覗き見る万華鏡を提供する。【解決手段】円錐台形、角錐台形の本体（１）の広い開口側に凹レンズ多面体（２）を設け、その内側に三角錐台形の鏡面（４）を設け、本体の狭い開口側に取っ手（３）と覗き窓（５）を設けたことを特徴とする。【選択図】  図２
2004348093.tif 000002
【特許請求の範囲】
【請求項１】
円錐台形、角錐台形の本体の広い開口側に凹レンズ多面体を装着し、狭い開口側を覗き窓とし、凹レンズ多面体を通して、取り入れた見える現実の風景、万物を内側鏡面の三角錐台形に反映させて覗く万華鏡。
【請求項２】
円錐台形、角錐台形の本体の広い開口側に凹レンズ多面体を装着し、狭い開口側を覗き窓とし、凹レンズ多面体を通して、現実の風景、万物を多面数に見る覗き眼鏡。
【請求項３】
円錐台形、角錐台形に組み立て可能な本体には凹レンズ多面体が填め込み可能な穴が設けられ、内側が鏡面の三角台形３枚は三角錐台形を組み立て可能で、取っ手部と覗き窓は一体に円筒形、角筒形に組み立て可能であり、各部分を組み立て後、本体に鏡面の三角錐台形を填め込み、一体の取っ手部と覗き窓を差し込み固定し、凹レンズ多面体を本体に填め込み組み立てて制作する請求項１記載の万華鏡の制作キット
【請求項４】
円錐台形、角錐台形に組み立て可能な本体には凹レンズ多面体が填め込み可能な穴が設けられ、取っ手部と覗き窓は一体に円筒形、角筒形に組み立てて、円錐台形、角錐台形に組み立てられた本体に差し込み固定し、凹レンズ多面体を本体に填め込み組み立てて制作する請求項２記載の覗き眼鏡の制作キット。
【発明の詳細な説明】
【０００１】
【発明の属する技術分野】
この発明は小片による幾何学模様以外の現実の世界、万物を模様として覗けるようにした、万華鏡に関するものである。
【０００２】
【従来の技術】
従来の万華鏡は万華鏡に取り入れた色や形の異なる小片を移動させ、三角形の筒を通して幾何学模様に反映させて見るもので、取り入れた小片以外見る事は出来なかった。
【０００３】
【発明が解決しょうとする課題】
従来の万華鏡は取り入れた小片を幾何学模様に変化させて見るもので、小片以外の物を見るものではなく、周りの現実の世界、万物、風景は小片より変化に富み数量も多い、本発明は万華鏡に万物、風景を取り入れて覗き見る為になされたものである。
【０００４】
【課題を解決するための手段】
外の世界を覗く事から強い光への対策として、焦点をむすぶ凸レンズは危険を伴うので使用せず、焦点をむすばないので安全な凹レンズを並べ物を見るとレンズの数だけ物が多く見える事から利用する凹レンズの多面体（２）を、広くする事で面数を増やせる事で利用する円錐台形、角錐台形の本体（１）の広い開口側に配置し、凹レンズ多面体を通して見る映像は面数の数だけ多く見えて、本体内部に付設した三角錐台形の鏡面（４）に反映させて見る映像は中心部分は物の認識が可能であり、中心から外れる大部分は物の認識が不可能な幾何学模様に変化して見える
本発明は、以上の構成よりなる万華鏡である。
【０００５】
【発明の実施の形態】
本発明は、円錐台形、角錐台形の本体（１）の内側に三角錐台形の鏡面（４）を設置し、取っ手（３）及び覗き窓（５）は本体の狭い開口側に配置し、広い開口側に凹レンズ多面体を配した構成は請求項１の万華鏡。
【０００６】
請求項２は、円錐台形、角錐台形の本体（１）の狭い開口側に取っ手（３）及び覗き窓を配置し、本体の広い開口側に凹レンズ多面体を配した構成よりなる覗き眼鏡。
【０００７】
請求項３は、凹レンズ多面体、組み立て可能な円錐台形、角錐台形の本体（１）、鏡面板（４）３枚は  三角錐台形に組み立て可能、取っ手（３）と覗き窓（５）は一体に組み立て可能で、組み立てた本体の狭い開口側に組み立てた取っ手と覗き窓を取り付け、本体に三角錐台形に組み立てた鏡面を填め込み、本体の広い開口側に凹レンズ多面体を取り付けて制作する万華鏡の制作キット。
【０００８】
請求項４は、凹レンズ多面体、組み立て可能な円錐台形、角錐台形の本体（１）、取っ手（３）と覗き窓（５）は一体に組み立て可能で、組み立てた本体の狭い開口側に組み立てた取っ手と覗き窓取り付け、本体の広い開口側に凹レンズ多面体を取り付けて制作する覗き眼鏡の制作キット。
【０００９】
本発明の実施面を鏡面に反映させる万華鏡、及び鏡面を使用しない覗き眼鏡に分けられ、小片を利用しないで現実の風景、万物を取り入れて見る事が本発明の特徴でありその実施は現実の風景、万物を凹レンズ多面体に通して見る事から始まり、多面体の面数と同じ数だけ見えるものが、鏡面を使用しない覗き眼鏡の構成であり、覗き眼鏡に上下、左右、回転の動きを与える事で風景、万物を面ごとの動きとして覗き見えるものであり、又凹レンズ多面体を通し面数の数だけ見える風景、万物の映像を鏡面を通して反映させて見るもので、物の認識、判別が可能な中心部と、中心から外れるに従い、見える物が幾何学模様となり、上下、左右、回転の動きを与えて幾何学模様を変化させて見る万華鏡である。
【００１０】
【発明の効果】
本発明は、建物の屋内、外でのパーティ会場、新幹線や列車での旅行の車窓から見る風景、夜景や花火見物、従来の万華鏡になかった映像、対象物を楽しめ、制作キットは絵を書き込んだり、組み立てたり、間違って太陽や強い光を見てしまった場合でも焦点をむすばない凹レンズを使用していて安全であり教材に適している。
【図面の簡単な説明】
【図１】本発明の凹レンズ多面体側の斜視図
【図２】本発明の断面斜視図
【図３】本発明の覗き窓側の斜視図
【図４】本発明の正面図
【図５】本発明の正面断面図
図１〜図５は請求項１と請求項３に係わる図面である。
【図６】本発明の凹レンズ多面体側の斜視図
【図７】本発明の覗き窓側の斜視図
【図８】本発明の正面図
【図９】本発明の正面断面図
図６〜図９は請求項２と請求項４に係わる図面である。
【図１０】本発明の制作キット完成品の凹レンズ側斜視図
【図１１】本発明の制作キット完成品の覗き窓側の斜視図
【図１２】本発明の角錐台形の制作キット平面図
【図１３】本発明の円錐台形の制作キット平面図
【図１４】本発明の鏡面３枚の平面図
図１０〜図１４は請求項３と請求項４に係わる制作キットの図面である。
【符号の説明】
１  本体
２  凹レンズ多面体
３  取っ手
４  鏡面
５  覗き窓
６  鏡面合せ目
７  のりしろ
８  凹レンズ填め込み用穴
９  筋目
【図１】
2004348093.tif 000003
【図２】
2004348093.tif 000004
【図３】
2004348093.tif 000005
【図４】
2004348093.tif 000006
【図５】
2004348093.tif 000007
【図６】
2004348093.tif 000008
【図７】
2004348093.tif 000009
【図８】
2004348093.tif 000010
【図９】
2004348093.tif 000011
【図１０】
2004348093.tif 000012
【図１１】
2004348093.tif 000013
【図１２】
2004348093.tif 000014
【図１３】
2004348093.tif 000015
【図１４】
2004348093.tif 000016
(57)【要約】【課題】発光素子の使用数量を減少させる事による表示装置の製作コスト低減及び発光素子減少に伴う昼間の表現力低下の解消。【解決手段】発光素子を大幅に減少させた高輝度動画表示装置と静止画表示装置を組合せる事により、高輝度動画発光体表示装置の欠点である高価格と静止画表示媒体の欠点である夜間における注目度の低下を補うことが可能である。【選択図】    図１
2004348094.tif 000002
【特許請求の範囲】
【請求項１】
高輝度動画発光体表示装置と静止画表示装置を組み合わせた表示装置。
【発明の詳細な説明】
【０００１】
【発明の属する技術分野】
本発明は、発光ダイオード等の発光素子を使用した発光表示装置に関する。
【０００２】
【従来の技術】
従来、発光ダイオード等の発光素子を使用した表示装置は動画である為、広告等の媒体としての表現力があり、注目度は高くなっており、近年、表示装置の大型化が図られている。その反面、表示装置の大型化により発光素子の使用数量が増大し、その分、表示装置の製作費用が高額化している。
製作費用の低減を図る為に発光素子の使用数量を減少させると、全面的に輝度が落ち、昼間に於ける表示の意味を成さなくなる。
また、既存の表示装置は太陽光線が強い昼間は表示装置を見る角度、位置等によっては、表示が見えにくい場合があり、発光表示の意味を成さない場合が多い。
更に、発光素子を使用しない表示媒体、例えば看板等は静止画であり、発光素子を使用した動画表示媒体と比較し、広告等の表現力が低い為人々の注目度が低く、夜間は更に注目度が低下する。
【０００３】
【発明が解決しようとする課題】
本発明は、発光素子の使用数量を減少させる事により表示装置の製作コストを下げると共に、太陽光線が強い昼間でも表示内容が確認出来る表示装置を、供給する事を目的としている。
【０００４】
【課題を解決するための手段】
本発明による媒体表現装置は、発光素子の数量を大幅に減少させる事により表示装置の製作コストを大幅に低減させ、減少により発生する昼間での表現力低下を補う為、その表面に発光素子が貫通し、発光できる穴を設けた従来の看板やスクリーン等の静止画の表示装置を重ねる事により、昼間は従来の看板として表示し、夜間は高輝度動画発光体表示を行う。
【０００５】
【発明の実施の形態】
発明の実施の形態を実施例に基ずき図面を参照して説明する。
図１に媒体表現装置の斜視図を示す。
表示装置１は部分的な拡大図の如く、基盤及び静止画取付板３と発光素子４とで組合された高輝度動画表示装置２と静止画表示装置５によって構成される。静止画表示装置５には発光素子４を貫通させる為の発光素子貫通穴６が設けられている。
【０００６】
図２に表示装置１の部分的な拡大図の縦断面図を示す。
高輝度動画表示装置２は基盤及び静止画取付板３と発光素子４で構成される。静止画表示装置５には発光素子貫通穴６を除いた部分にプリント又は塗装により描かれた静止画及び静止画が描かれたフィルム・スクリーン等を貼り付ける等の方法により静止画を表示する。
【０００７】
図３に高輝度動画表示装置２と静止画表示装置５を表示した場合の、概念図を示す。高輝度動画表示装置２は発光素子の発光により、通常夜間に動画の表示を行う。又、静止画表示装置５は通常昼間に静止画の表示を行う。
【０００８】
図４に高輝度動画表示装置の回路構成を示す。
各種映像や文字信号等は、映像機器７及びコンピューター８より表示制御器９を通して高輝度動画表示装置２に送られ、映像、文字及びアニメーション等を表示する。
【０００９】
【発明の効果】
本発明は、以上説明したように構成されており、以下に記載されるような効果を奏する。
【００１０】
本発明による媒体表現装置は発光素子の使用数量を大幅に減少させる事により、表示装置の製作コストを低減させる。又、発光素子減少により発生する昼間の表現力低下を静止画表示によって補う。この様に高輝度動画表示装置と静止画表示装置を組み合わせる事によって、高輝度動画発光体表示装置の欠点である高価格と静止画表示媒体の欠点である夜間における注目度の低下を補うことが可能となる。又、製作コストに於いても発光素子使用量が大幅に低減される為、従来の表示装置より更に大型の表示装置の製作が可能となる。
【図面の簡単な説明】
【図１】媒体表現装置の斜視図である。
【図２】媒体表現装置の縦断面図である。
【図３】高輝度動画表示装置と静止画表示装置の表示概念図である。
【図４】高輝度動画装置の回路構成である。
【符号の説明】
１  表示装置
２  高輝度動画表示装置
３  基盤及び静止画取付板
４  発光素子
５  静止画表示装置
６  発光素子貫通穴
７  映像機器
８  コンピューター
９  表示制御器
【図１】
2004348094.tif 000003
【図２】
2004348094.tif 000004
【図３】
2004348094.tif 000005
【図４】
2004348094.tif 000006
(57)【要約】【課題】最終消費者の購買場所で、必要に応じて清浄水を製造し供給できる清浄水の販売装置を提供する。【解決手段】外部と遮断された独立空間を形成するブース３に、ブース３内を浄化する空気清浄器４を装置し、ブース３内には水浄化装置９、自動充填包装機１０及び包装水のストックケース１１を設置すると共に、ストックケース１１の近傍のブース側壁に開閉扉７を有する取り出し口６を設け、水浄化装置９に原料の水源を接続し、かつ浄化水を自動充填包装機１０へ供給する配管を連結し、更に包装水搬送手段を自動充填包装機１０と包装水のストックケース１１間に設置したことを特徴とする。【選択図】図２
2004348438.tif 000002
【特許請求の範囲】
【請求項１】
外部と遮断された独立空間を形成するブースに、ブース内を浄化する空気清浄器を装置し、ブース内には水浄化装置、自動充填包装機及び包装水のストックケースを設置すると共に、ストックケースの近傍のブース側壁に開閉扉を有する取り出し口を設け、水浄化装置に原料の水源を接続し、かつ浄化水を自動充填包装機へ供給する配管を連結し、更に包装水搬送手段を自動充填包装機と包装水のストックケース間に設置したことを特徴とする清浄水販売装置。
【請求項２】
包装水のストックケース内の包装水の数量によって水浄化装置及び自動充填包装機の稼働を制御することを特徴とする請求項１記載の清浄水販売装置。
【発明の詳細な説明】
【０００１】
【発明の属する技術分野】
本発明は、パック詰めされた清浄水を販売する装置に関するものである。
【０００２】
【従来の技術】
従来の清浄水の販売は具体的例示するまでもなく、ボトルに収納した清浄水を製造工場で詰め込んで封栓をし、そのボトルを運搬・陳列し、消費者へ渡る販売形態並びに販売方法であった。
又、特開２００３ー４４９１３では自動販売機及びその販売方法並びにペットボトルの取り出し方法が提案され、更に特開２００３ー４４９２５ではカップ式飲料自動供給装置が開示されている。
【０００３】
【発明が解決しようとする課題】
本発明は、従来のように商品がボトルに封入されて市場を転々とすることなく、又その場で飲んでしまうカップ式の供給装置でなく、最終消費者の購買場所で必要に応じて清浄水を製造し供給でき、安全に持ち帰りできる清浄水の販売装置を提供しようとするものである。
【０００４】
【課題を解決するための手段】
本発明は、外部と遮断された独立空間を形成するブースに、ブース内を浄化する空気清浄器を装置し、ブース内には水浄化装置、自動充填包装機及び包装水のストックケースを設置すると共に、ストックケースの近傍のブース側壁に開閉扉を有する取り出し口を設け、水浄化装置に原料の水源を接続し、かつ浄化水を自動充填包装機へ供給する配管を連結し、更に包装水搬送手段を自動充填包装機と包装水のストックケース間に設置したことを特徴とするものである。
又、包装水のストックケース内の包装水の数量によって水浄化装置及び自動充填包装機の稼働を制御することができる。
【０００５】
清浄水を製造し、充填包装する機械装置並びに包装水のストックケースは、ブースの外部と遮断され浄化された独立空間にあるため、製造からストックまで衛生的環境で行える作用を奏する。
又、ストックケース内の包装水を消費者はブース側壁の開閉扉から取り出して購入でき、清浄水の製造・包装をストックケース内の包装水の数量によって制御すれば、必要数量を効率よく製造及びストックできる作用を奏するものである。
【０００６】
【発明の実施の形態】
本発明の実施の形態を図面に基づいて説明する。
図１は本発明の一実施の形態を示す正面図であり、天井１と四側壁２で床面に立設固定され、外部から独立した空間と成るブース３が構成されている。
ブース３を構成する各面は空気の浸透を阻止するパネル材を使用している。
【０００７】
ブース３の天井１には空気清浄器４及び殺菌灯５が装着してあり、ブース３内の空気を清浄にし、有害ガス、塵埃や微生物を除去している。
又、正面壁２Ａの下方部には取出口６が設けてあり、取出口６には扉７を開閉可能に蝶着８し、閉時には取出口６との密閉度を高めるため、磁力による吸着等の公知手段を採用する。
【０００８】
又、ブース３内には水浄化装置９、自動充填包装機１０及び包装水のストックケース１１が配置してある。
水浄化装置９の入水口は上水道に連結１５Ａし、水道水を原水１７として濾過９Ａし、逆浸透膜９Ｂを通過させ、紫外線殺菌９Ｃを行って得た清浄水を出水口より自動充填包装機１０へ連結１５Ｂし、供給するものである。
【０００９】
自動充填包装機１０ではラミネートフィルムを包装袋に成形すると共に、供給された清浄水を充填１０Ａし、製造年月日等を印字１０Ｂし、排出コンベア１２により包装水のストックケース１１へ搬送し投入するものである。
【００１０】
包装水のストックケース１１は前述の取出口６の近傍に配置してあり、ブース３外から扉７を開けて手を挿入して包装水のストックケース１１内の包装水１３を取り出せるように成っている。
又、包装水のストックケース１１は重量計１４により包装水１３との総重量を計測し、一定重量を基準に水浄化装置９及び自動充填包装機１０の稼働スイッチの制御１６Ａ、１６Ｂを行っている。
【００１１】
すなわち、包装水のストックケース１１内に一定量の包装水１３があれば、浄水及び充填を停止して包装水１３の供給を止め、包装水１３が取り出され、少なくなると浄水及び充填を稼働して包装水１３の包装水のストックケース１１への供給を始めるのである。
【００１２】
水浄化装置９及び自動充填包装機１０の制御は、包装水のストックケース１１の重量を測定することにより行う他に、包装水のストックケース１１が包装水１３を含む自重で昇降可能とし、昇降する上・下の特定位置に近接スイッチ等を配設して行うことでもよい。
【００１３】
【発明の効果】
以上のように、本発明は清浄水を消費者の購入場所で製造するものであるから、商品の流通を簡素化すると共にコストダウンを図れる。
又、クリーンなブースの中で水の浄化と包装を行うため、清潔で品質も保証でき、そのまま持ち帰って保存できる。
更に、商品のストックも最少限の数量で足りて、補充も迅速であって保存管理も容易と成る効果を発揮するものである。
【図面の簡単な説明】
【図１】本発明装置の一実施の形態を示す正面図である。
【図２】本発明装置の一実施の形態を示す一部横断平面図である。
【図３】本発明の包装水の製造工程を示すブロック図である。
【符号の説明】
１  天井
２  四側壁
３  ブース
４  空気清浄器
５  殺菌灯
６  取出口
７  扉
８  蝶着
９  水浄化装置
１０  自動充填包装機
１１  ストックケース
１２  排出コンベア
１３  包装水
１４  重量計
【図１】
2004348438.tif 000003
【図２】
2004348438.tif 000004
【図３】
2004348438.tif 000005
(57)【要約】【課題】自由側の軸受の外輪と軸受箱が円滑に摺動し、かつクリープが発生しない軸受支持装置を提供する。【解決手段】軸５を支持する軸受１を軸受箱３で支持する軸受支持装置において、外輪１ａの外周に回り止め用円柱形状や四角形状のピン２を取付けた軸受１と、軸受箱３に軸５の回転中心に対して軸受１の回転角度にピン半径を加えた寸法だけずらして切欠きを形成する。あるいは、外輪１ａの外周に摺動用部材６を取り付けるとともに、摺動用部材６の外周に回り止め用円柱形状や四角形状のピン２を取付ける。【選択図】    図１
2004239388.tif 000002
【特許請求の範囲】
【請求項１】
軸を支持する軸受を軸受箱で支持する軸受支持装置において、
外輪の外周に回り止め用円柱形状ピンを取付けた軸受と、軸受箱に軸の回転中心に対して軸受の回転角度にピン半径を加えた寸法だけずらして切欠きを形成したことを特徴とする軸受支持装置。
【請求項２】
前記外輪の外周に摺動用部材を取り付けるとともに、前記摺動用部材の外周に回り止め用円柱形状ピンを取付けたことを特徴とする請求項１に記載の軸受支持装置。
【請求項３】
軸を支持する軸受を軸受箱で支持する軸受支持装置において、
外輪の外周に回り止め用四角柱形状ピンを取付けた軸受と、軸受箱に軸の回転中心に対して軸受の回転角度にピン幅の半分を加えた寸法だけずらして切欠きを形成したことを特徴とする軸受支持装置。
【請求項４】
前記外輪の外周に摺動用部材を取り付けるとともに、前記摺動用部材の外周に回り止め用四角形状ピンを取付けたことを特徴とする請求項３に記載の軸受支持装置。
【発明の詳細な説明】
【０００１】
【発明の属する技術分野】
本発明は、軸を支持する軸受を軸受箱で支持する軸受支持装置に関するものである。
【０００２】
【従来の技術】
従来のモータの軸受構成は、負荷側もしくは反負荷側のいずれか一方の軸受の外輪を固定し、反対側の軸受の外輪を自由として、運転時のフレームと軸の熱膨張の差を自由側で吸収できる構造としていた。ところが、自由側外輪と軸受箱の隙間が小さい場合には円滑に摺動せずに軸受に過大な予圧が発生して軸受不良となり、また隙間が大きい場合にはクリープが発生するなどの問題があり、摺動を円滑にしかつクリープを防止するため、自由側外輪に回り止めピンを取付けた構造としていた（例えば、特許文献１）。
そのクリープ防止構成は、図３（ａ），（ｂ）に示すように自由側の軸受１の外輪１ａにピン２を配置し、軸受箱３に切欠き４を設けて、軸方向には摺動可能とし、円周方向の回転を制限する構造としていた。
【０００３】
【特許文献１】
特開平１０−２９９７８５号公報
【０００４】
【発明が解決しようとする課題】
しかしながら、このような従来技術においては、次のような問題があった。
すなわち、組立の容易性を確保するために軸受箱３の切欠き４を大きくした場合などには、ピン２の先端の角が切欠き４の内部と点接触するため、クリープ力による面圧が集中して、長期間使用した場合に切欠き４の内部に凹部が生じ、軸方向の摺動が悪くなり、軸受１に過大な予圧が発生して軸受不良となる場合があった。
本発明は、このような問題を解決するためになされたもので、自由側の軸受の外輪と軸受箱が円滑に摺動し、かつクリープが発生しない軸受支持装置を提供することを目的とするものである。
【０００５】
【課題を解決するための手段】
上記問題を解決するため、請求項１記載の本発明は、軸を支持する軸受を軸受箱で支持する軸受支持装置において、外輪の外周に回り止め用の円柱形状のピンを取付けた軸受と、軸受箱に軸の回転中心に対して軸受の回転角度にピン半径を加えた寸法だけずらして切欠きを形成するようにしたものである。
また、請求項２に記載の本発明は、請求項１に記載の軸受支持装置において、前記外輪の外周に摺動用部材を取り付けるとともに、前記摺動用部材の外周に回り止め用の円柱形状のピンを取付けるようにしたものである。
また、請求項３に記載の本発明は、軸を支持する軸受を軸受箱で支持する軸受支持装置において、外輪に回り止め用の四角柱形状のピンを取付けた軸受と、軸受箱に軸の回転中心に対して軸受の回転角度にピン幅の半分を加えた寸法だけずらして切欠きをが形成したことを特徴とする軸受支持装置。
また、請求項４に記載の本発明は、請求項１に記載の軸受支持装置において、前記外輪の外周に摺動用部材を取り付けるとともに、前記摺動用部材の外周に回り止め用の四角形状のピンを取付けるようにしたものである。
【０００６】
【発明の実施の形態】
以下、本発明の実施例を図に基づいて説明する。
［第１の実施例］
軸受支持装置は、図１に示すように、軸受１の外輪１ａに取付けられた回り止め用の円柱形状のピン２と軸受箱３に設けられた切欠き４で構成される。軸５が回転し、軸５に微小の回転アンバランスがあると軸受１の外輪１ａが回転し、ピン２と切欠き４が接触する。切欠き４の形状を軸５の回転中心に対して角度α＋ピン２の半径ｒずらして形成すれば、切欠き４の大きさは組立の容易性を確保しつつ、ピン２は切欠き４と線接触となり、クリープ力による面圧が分散され切欠き４の内面が変形することはなく、長期間使用しても円滑に摺動することができる。
また、ピン２の形状を円柱ではなく四角柱とすることで、ピン２と切欠き４は面接触となり、クリープ力による面圧をさらに分散することができる。
［第２の実施例］
また、図２（ａ），（ｂ）に示すように、軸受１の外輪１ａに摺動用部材６を取付け、摺動用部材６に回り止め用のピン２を取付ければ、既存の軸受寸法、形状のままで軸方向の摺動長さを延長でき、さらに摺動を円滑にすることができる。
【０００７】
【発明の効果】
以上述べたように、本発明によれば、自由側の軸受の外輪と軸受箱が円滑に摺動し、かつクリープが発生しない軸受支持装置を提供することができる効果がある。
【図面の簡単な説明】
【図１】本発明の第１の実施例における軸受支持装置を示す図で、（ａ）は上半部の正断面図を示し、（ｂ）は上半部の側断面図を示している。
【図２】本発明の第２の実施例における軸受支持装置を示す図で、（ａ）は上半部の正断面図を示し、（ｂ）は上半部の側断面図を示している。
【図３】従来技術における軸受支持装置を示す図で、（ａ）は上半部の正断面図を示し、（ｂ）は上半部の側断面図を示している。
【符号の説明】
１    軸受
１ａ  外輪
２    ピン
３    軸受箱
４    切欠き
５    軸
６    摺動用部材
【図１】
2004239388.tif 000003
【図２】
2004239388.tif 000004
【図３】
2004239388.tif 000005
(57)【要約】【課題】強力な熱風を高効率に発生する装置。【解決手段】図は本発明の実施例であり、吸気口（６）を除き密封し断熱した燃焼槽（１）内で熱源（２）により加熱した空気をブロワー（３）によって加熱管（４）を経由して移送管（５）へ強制排気する構造とし、槽内の熱気を加熱管で更に再加熱することにより強力な熱風を高効率に発生する。本案の特徴は燃焼槽内の加熱した空気をブロワー（３）に直結した長い加熱管（４）に噴出して被加熱時間を延長することにより高速気流に対処し、ブロワーの風力同等の強い熱風を発生することである。この手段により、移送中の熱風の温度降下を抑制し長尺の放熱管を有する暖房や遠隔の融雪に対処することが可能となる。【選択図】  図２
2004239573.tif 000002
【特許請求の範囲】
【請求項１】
吸気口を除き密封して断熱した燃焼槽内で加熱した空気を、ブロワーにより加熱管を経由して移送管へ強制排気する構造とし、槽内の加熱された空気を加熱管で更に再加熱することにより、高温で強い風力の熱風を高効率に発生する装置。
【発明の詳細な説明】
【０００１】
【発明の属する技術分野】
本発明は熱風発生装置に関するものである。
【０００２】
【従来の技術】
従来、燃焼槽で加熱した空気を送風機により熱風化する技術や排気ダクト内に設置した送風機により熱風化する技術が一般であり、主として屋内で熱風を直接循環させる暖房に利用される。
【０００３】
【発明が解決しようとする課題】
燃料を利用する熱源により熱風化した排気を屋内で循環する従来の暖房では、燃焼時に発生する有害ガスの拡散を回避できない。
【０００４】
従って、熱風をラジエータなどの放熱装置を経由して屋外へ排気し、間接的に室温を上昇させることによりクリーンな暖房が可能となる。
【０００５】
しかし、気体を熱媒体とした場合には移送中の著しい温度降下が問題であり、長尺の放熱管を利用した暖房や遠隔の融雪に対処するには、移送管の保温および熱風の高温化と風力の強化により温度降下を抑制することが重要な課題となる。
【０００６】
【課題を解決するための手段】
第１図は本発明の機能を示す概念図であり、矢印（８）は気流の経路を示す。
【０００７】
第１図において、燃焼槽内（１）の熱源（２）で加熱した空気をブロワー（３）により加熱管（４）を経由して移送管（５）へ強制排気する構造とする。
【０００８】
燃焼槽内（１）で加熱された空気をブロワー（３）に直結した加熱管（４）で更に再加熱することにより高温で強力な熱風を高効率に発生する。
【０００９】
この手段により、ブロワー同等の強力な風力をもつ高温の熱風が得られるため、移送中の温度降下を抑制することが可能となり、長尺の放熱管を有する暖房設備や遠隔の融雪装置に対処することができる。
【００１０】
【発明の実施の形態】
【実施例】
第２図は本発明の実施例を示したものであり、燃焼槽内（１）に渦状あるいは蛇行状に形成した長い加熱管（４）を設置し、その一端をブロワー（３）に直結し他端を移送管（５）に結合している。
【００１１】
熱源（２）により加熱された燃焼槽内の空気はブロワー（３）により加熱管（４）を経由して移送管（５）へ排出され、槽内の負圧作用により外気が吸気口（６）より自動吸入される。
【００１２】
本案の特徴は、燃焼槽内の加熱した空気をブロワー（３）と直結する加熱管（４）に噴出し、長い経路に形成された加熱管（４）で更に再加熱することにより被加熱時間を延長して高速の気流に対処したことであり、高温で強力な熱風を小熱源で得ることが可能となる。
【００１３】
第２図はブロワー（３）を燃焼槽（１）内に設置し一体化した実施例であるが、大規模な熱風の発生装置として、燃焼室とダクトにより連結し断熱密封した送風室に大型ブロワーを設置する方法がある。
【００１４】
【発明の効果】
本発明は高温の熱風を強力な風力で移送することにより、移送中の温度降下を抑制し、長尺の放熱管によるクリーンな暖房が可能となり、さらに屋外に設置した噴射パイプから排気することにより屋根や路地の融雪にも対処できる。
【００１５】
空気を熱媒体とするため移送設備が簡易化し、ラジエータによる暖房や床暖房あるいは温室暖房などが経済的に構築でき、熱源の高効率な利用手段も相俟ってランニングコストも節減できる。
【００１６】
特に積雪が致命的な弊害となる太陽光発電装置やテレビアンテナ、パラボラ・アンテナなど高所に設置される設備の着雪防止に有用である。
【００１７】
【図面の簡単な説明】
【図１】本発明の概要図である。
【図２】実施例の側面図である。
【図３】加熱管の実施例を示す平面図である。
【符号の説明】
１  燃焼槽
２  熱源
３  ブロワー
４  加熱管
５  移送管
６  吸気口
７  モーター
８  気流
【図１】
2004239573.tif 000003
【図２】
2004239573.tif 000004
【図３】
2004239573.tif 000005
(57)【要約】      （修正有）【課題】吸気管の途中に爆風が侵入すると閉じ、通常は開いている開閉弁を取付ける方法によって、吸気管からの爆風の侵入を防止する原爆防護室に於ける吸気筒爆風防止装置を提供する。【解決手段】建物類の壁、窓２０の外の金属性パイプ３外気流入口５には昆虫、鳥類の侵入を防ぐための網８があり、垂直に昇るパイプ３の裏側に爆風を逃すための小さな穴９が多数開けてある。パイプ３を通って入った爆風はパイプ２の中の爆風防止金属板１３に突き当たると、防止板１３は１３ａへと移動するがバネ１５の為に外気圧が弱まると同時に防止板１３は元の位置まで瞬時にして戻る。【選択図】図１
2004239588.tif 000002
【特許請求の範囲】
【請求項１】
大きい金属パイプ２の中に、小さい金属パイプ３、４が入り、爆風を防ぐための金属蓋１３を備えた吸気筒爆風防止装置。
【請求項２】
爆風防止の蓋１３はスプリング、バネ１５の力で元の位置に自動的に帰る事が出来るようになっている吸気筒爆風防止装置。
【請求項３】
吸気口入口５は金属パイプ３裏側に多数の小穴９と鳥、昆虫類の侵入を防ぐ網８を備えた吸気筒爆風装置。
【請求項４】
地上の建造物の一室の壁、窓２０に金属板１０にて取付け可能な吸気筒爆風防止装置。
【発明の詳細な説明】
【０００１】
【発明の属する技術分野】
この発明は金属性の大きいパイプ２の中に左右から金属性の小さいパイプ３、４が入り、その間に爆風筒防止用の蓋１３があり、地上の建造物の一室の窓壁１９に取付け可能な通気筒爆風防止装置に関するものである。
【０００２】
【従来の技術】
従来この種の装置は人々の安全性を考えた場合、地下のシェルターに設置する事が多く、又、高額の費用が必要である為、一般の人々には殆どシェルターを持つことは不可能であった。
【０００３】
【発明が解決しようとする課題】
本発明はその欠点を無くす為に地上の建物の一室をシェルターに改造し、原爆放射能から人々を守れるよう、この通気筒爆風防止装置の研究を進めた。
【０００４】
【課題を解決するための手段】
建物類の壁、窓２０の外の金属性パイプ３外気流入口５には昆虫、鳥類の侵入を防ぐための網８があり、垂直に昇るパイプ３の裏側に爆風を逃すための小さな穴９が多数開けてある。
【０００５】
パイプ３を通って入った爆風はパイプ２の中の爆風防止金属板１３に突き当たると、防止板１３は１３ａへと移動しますがバネ１５の為に外気圧が弱まると同時に防止板１３は元の位置まで瞬時にして戻ります。
【０００６】
【発明の実施の形態】
本発明は以上のような構成であるから、外気取入口より入った空気は、流出口１９より下部に設置された、放射能除去用フィルターを通り、電動モーターの力で保護室内に空気を送り込むことが出来た。又、種々な風量の試験結果、強風の場合、強風防止板が室内側小パイプ４の空気流入口に７を完全に蓋する事で小パイプ３にある小穴９より空気流出が確認された。
【０００７】
小パイプ４の空気流出口１９より下方に設置された放射能除去フィルターに連続する電動モーターが作動すると外気はパイプ１３．２．４等を通り、室内に流入するが爆風防止板を移動する事は無い。然し外気吸入口５より強風を吹き込む場合は、爆風防止板は瞬時に移動し（小パイプ４の空気流入口７）を防ぐので放射能除去用フィルターは異常なかった。
【図面の簡単な説明】
【図１】吸気筒爆風防止装置の正面図である
【図２】図１のＡ−Ａ線における断面図である
【図３】図１のＢ−Ｂ線における断面図である
【図４】図１のＣ−Ｃ線における断面図である
【図５】図１の底面図である
【図６】図１の２の内側の防止板（１２．１３）の移動図である
【図７】図１の建物への取付図である
【符号の説明】
１        吸気筒爆風防止装置
２        金属性パイプ大
３        金属性パイプ小
４        金属性パイプ小
５        外気流入口
６        外気流出口（パイプ３）
７        外気流入口（パイプ４）
８        鳥、昆虫類流入防止網
９        爆風防止小穴
１０      鉄板
１１      ボルトナット
１２      ボルトナット
１３      爆風防止板
１４      爆風防止の心棒
１５      スプリングバネ
１６      心棒を支える鉄板
１７      ベヤリングメタル
１７ａ          〃
１８      鉄板、（大、小のパイプを固定し溶接する）
１８ａ          〃
１９      外気流出口（放射能除去フィルターへと続く）
２０      建物の外壁、窓
【図１】
2004239588.tif 000003
【図２】
2004239588.tif 000004
【図３】
2004239588.tif 000005
【図４】
2004239588.tif 000006
【図５】
2004239588.tif 000007
【図６】
2004239588.tif 000008
【図７】
2004239588.tif 000009
【手続補正書】
【提出日】平成15年3月27日(2003.3.27)
【手続補正１】
【補正対象書類名】明細書
【補正対象項目名】特許請求の範囲
【補正方法】変更
【補正の内容】
【特許請求の範囲】
【請求項１】
大きい金属パイプ２の中に、小さい金属パイプ３、４が入り、爆風を防ぐための金属蓋１３を備えた吸気筒爆風防止装置。
【請求項２】
爆風防止の蓋１３はスプリング、バネ１５の力で元の位置に自動的に帰ることが出来るようになっている請求項１記載の吸気筒爆風防止装置。
【請求項３】
吸気口入り口５は金属パイプ３裏側に多数の小穴９と鳥、昆虫類の侵入を防ぐ網８を備えた請求項１記載の吸気筒爆風装置
【請求項４】
地上の建造物の一室の壁、窓２０に金属板１０にて取付け可能な請求項１記載吸気筒爆風防止装置。